(57)【要約】【課題】負荷電流の影響により生じるオフ設定用電源の電圧変動を除去する。【解決手段】薄膜トランジスタをオフさせるオフ設定用電源ＶＧＬの電圧が、ＶＣＯＭの電圧の変化に対応して変化する構成において、一方の端子にボルテージホロワ１６の出力が導かれ、他方の端子からＶＧＬが出力される第３のコンデンサＣ３と、第３のコンデンサＣ３の他方の端子に、ＶＧＬの中心電圧を印加する第３の分圧回路１３とを備え、第１の分圧回路１１によって直流増幅回路１５の入力端１５１に与えられるバイアス電圧を、ボルテージホロワ１６から出力される電圧が２種の電圧のうちのいずれの電圧となるときにも、ボルテージホロワ１６の出力インピーダンスを上昇させない範囲の電圧に設定している。【選択図】  図１
2006154529.tif 000002
【特許請求の範囲】
【請求項１】
液晶パネルの共通電極に印加される共通電極駆動電源の極性変化のタイミングを示すとともに極性変化における共通電極駆動電源の電圧の変化に対応した波形形状の極性信号が一方の端子に入力された第１のコンデンサと、
第１のコンデンサの他方の端子が入力端に接続された直流増幅回路と、
直流増幅回路の入力端にバイアス電圧を与える第１の分圧回路と、
直流増幅回路の出力が導かれたボルテージホロワと、
一方の端子にボルテージホロワの出力が導かれ、他方の端子から共通電極駆動電源が出力される第２のコンデンサと、
第２のコンデンサの他方の端子に、共通電極駆動電源の中心電圧となる電圧を印加する第２の分圧回路とを備え、
液晶パネルに形成された薄膜トランジスタをオフさせるオフ設定用電源の電圧が、共通電極駆動電源の電圧の変化に対応して変化する液晶表示装置において、
一方の端子にボルテージホロワの出力が導かれ、他方の端子からオフ設定用電源が出力される第３のコンデンサと、
第３のコンデンサの他方の端子に、オフ設定用電源の中心電圧となる電圧を印加する第３の分圧回路とを備え、
第１の分圧回路は、
一方の端子がプラス電源に接続され、他方の端子が直流増幅回路の入力端に接続された第１の抵抗と、
一方の端子が第１の抵抗の他方の端子に接続され、他方の端子がマイナス電源に接続された第２の抵抗とを備え、
直流増幅回路は、
前記プラス電源と前記マイナス電源とを動作電源とし、プラス入力が接地された第１のＯＰアンプと、
一方の端子が入力端に接続され、他方の端子が第１のＯＰアンプのマイナス入力に接続された第３の抵抗と、
第１のＯＰアンプのマイナス入力と第１のＯＰアンプの出力端子との間に接続された第４の抵抗とを備え、
ボルテージホロワは、前記プラス電源と前記マイナス電源とを動作電源とし、プラス入力に第１のＯＰアンプの出力が導かれ、マイナス入力と出力端子とが接続された第２のＯＰアンプを備え、
第１の抵抗の値と第２の抵抗の値との比率により定まる前記バイアス電圧は、ボルテージホロワから出力される電圧が２種の電圧のうちのいずれの電圧となるときにも、ボルテージホロワの出力インピーダンスを上昇させない範囲の電圧に設定されていることを特徴とする液晶表示装置。
【請求項２】
液晶パネルの共通電極に印加される共通電極駆動電源の極性変化のタイミングを示すとともに極性変化における共通電極駆動電源の電圧の変化に対応した波形形状の極性信号が一方の端子に入力された第１のコンデンサと、
第１のコンデンサの他方の端子が入力端に接続された直流増幅回路と、
直流増幅回路の入力端にバイアス電圧を与える第１の分圧回路と、
直流増幅回路の出力が導かれたボルテージホロワと、
一方の端子にボルテージホロワの出力が導かれ、他方の端子から共通電極駆動電源が出力される第２のコンデンサと、
第２のコンデンサの他方の端子に、共通電極駆動電源の中心電圧となる電圧を印加する第２の分圧回路とを備え、
液晶パネルに形成された薄膜トランジスタをオフさせるオフ設定用電源の電圧が、共通電極駆動電源の電圧の変化に対応して変化する液晶表示装置において、
一方の端子にボルテージホロワの出力が導かれ、他方の端子からオフ設定用電源が出力される第３のコンデンサと、
第３のコンデンサの他方の端子に、オフ設定用電源の中心電圧となる電圧を印加する第３の分圧回路とを備え、
第１の分圧回路によって直流増幅回路の入力端に与えられるバイアス電圧は、ボルテージホロワから出力される電圧が２種の電圧のうちのいずれの電圧となるときにも、ボルテージホロワの出力インピーダンスを上昇させない範囲の電圧に設定されていることを特徴とする液晶表示装置。
【発明の詳細な説明】
【技術分野】
【０００１】
本発明は、液晶パネルの共通電極を駆動する共通電極駆動電源の電圧が、極性に対応して変化する液晶表示装置に係り、より詳細には、液晶パネルの薄膜トランジスタをオフに設定する設定電圧を、共通電極駆動電源の電圧変化に対応して変化させる液晶表示装置に関するものである。
【背景技術】
【０００２】
液晶パネルを駆動するときには、印加する信号の極性を所定周期で反転する必要がある。このため、共通電極に印加される共通電極駆動電源ＶＣＯＭ（以下では、単にＶＣＯＭと称する）についても、極性の反転の周期に対応して電圧が変化するように構成されている。このような場合において、ＶＣＯＭの中心電圧を、０Ｖ近傍やマイナス電圧にしようとするときでは、前記中心電圧を生成するための回路のマイナス側の電源に、別途に電源を設けることなく使用可能である−１５Ｖの電源を用いる場合、中心電圧と−１５Ｖとの電圧の差異が大きいため、−１５Ｖの電源の消費電力が大きくなり、総合的な消費電力が増加する。
【０００３】
このため、図５に示した構成が提案されている（第１の従来技術とする）。すなわち、この技術では、ＶＣＯＭの中心電圧を所定の電圧に設定するための構成として、ＯＰアンプ９１を設けるとともに、ＯＰアンプ９１とＶＣＯＭとの間に接続されたアナログスイッチ９２を設けている。また、アナログスイッチ９２のマイナス側電源にはオフ設定用電源ＶＧＬを用いている。そして、増幅器９３が、ＶＣＯＭをプラスレベルとするための電圧を出力するタイミングに合わせて、アナログスイッチ９２の接続を閉じるようにしている。
【０００４】
従って、ＶＣＯＭのプラスレベルは、ＯＰアンプ９１が送出するプラスレベルにクランプされる。また、ＶＣＯＭの振幅は、増幅器９３が出力するパルスの振幅に等しくなる。このため、−１５Ｖを用いて、ＶＣＯＭの中心電圧（０Ｖ近傍、あるいは、０Ｖ近傍のマイナス電圧）を生成する必要がなくなる。また、アナログスイッチ９２におけるマイナス電源（ＶＧＬ）の消費電力は微少に留まる。このため、−１５Ｖの消費電力の増加が抑制されるので、総合的な消費電力の増加が抑制される（例えば、特許文献１参照）。
【０００５】
一方、液晶パネルの薄膜トランジスタの駆動においては飛び込み電圧が発生し、液晶を直流的にバイアスする。このため、ＶＣＯＭの中心電圧をマイナス側に補正することが行われている。また、飛び込み電圧は、オン設定用電源ＶＧＨの電圧に対応して変化する。従って、ＶＣＯＭの中心電圧をマイナス側に補正する補正量については、オン設定用電源ＶＧＨが変動すると、この変動に対応して変化させる必要がある。
【０００６】
上記した問題を解決するために、以下に示す技術が提案されている（第２の従来技術とする）。すなわち、この技術では、図６に示したように、液晶パネルに形成された薄膜トランジスタをオンに設定するオン設定用電源ＶＧＨから、前記薄膜トランジスタをオフに設定するオフ設定用電源ＶＧＬを生成するチャージポンプ回路９８を設けている。そして、チャージポンプ回路９８によって生成されたオフ設定用電源ＶＧＬを、抵抗Ｒ９１を介して、ＶＣＯＭに加えている。このため、オン設定用電源ＶＧＨの電圧に変動が生じると、オフ設定用電源ＶＧＬの電圧が変化して、ＶＣＯＭの中心電圧を変化させる。つまり、オン設定用電源ＶＧＨの電圧が変動して飛び込み電圧が変動したときには、ＶＣＯＭの中心電圧は、この飛び込み電圧の変化に追従するように変化する。従って、オン設定用電源ＶＧＨが変動するときにも、ＶＣＯＭの中心電圧は、最適となるように、自動で補正されることになる（例えば、特許文献２参照）。
【０００７】
また、ＶＣＯＭの電圧を変化させるタイミングに合わせて、オフ設定用電源ＶＧＬの電圧を変化させる構成が提案されている（第３の従来技術とする）。すなわち、この技術においては、図７に示したように、極性の反転のタイミングを示す極性信号ＰＳをＯＰアンプ２１を用いて反転増幅している。また、ＯＰアンプ２１の出力を、ボルテージホロワとして動作するＯＰアンプ２２に導いている。そして、ＯＰアンプ２２の出力端子から、コンデンサＣ２を介して、共通電極駆動電源ＶＣＯＭを取り出している。また、ＯＰアンプ２１の出力を、オフ設定用電源ＶＧＬとして用いている。つまり、ＶＣＯＭの電圧とオフ設定用電源ＶＧＬの電圧との差異が常に同一となるように構成している。
【特許文献１】特開２００２−３５８０５０号公報
【特許文献２】特開２００１−２７２９５９号公報
【発明の開示】
【発明が解決しようとする課題】
【０００８】
しかしながら、第３の従来技術を用いる場合には、以下に示す問題を生じていた。すなわち、オフ設定用電源ＶＧＬの中心電圧については、−１２Ｖとなっている。このため、前記した−１２Ｖを、抵抗Ｒ３３と抵抗Ｒ３４とからなる分圧回路によって生成している。また、オフ設定用電源ＶＧＬの電圧の変化の幅は５．６Ｖとなっている。このため、オフ設定用電源ＶＧＬの電圧は、中心電圧に対してプラス側に２．８Ｖを変移した電圧と、マイナス側に２．８Ｖを変移した電圧とに交互に変化する。つまり、ＯＰアンプ２１は、−９．２Ｖと−１４．８Ｖとを交互に出力する必要がある。
【０００９】
一方、ＯＰアンプ２１，２２の動作電源には、その他の回路が使用する電圧の関係から、プラス５Ｖと−１５Ｖとが使用されている。このため、−１４．８Ｖを出力するときでは、出力電圧が電源電圧の−１５Ｖに近似した電圧となる。その結果、出力電圧を変動させることなく、第１のＯＰアンプ２１から取り出すことができる電流は極めて微少となる。一方、ＯＰアンプ２１の出力電圧が−９．２Ｖから−１４．８Ｖに変化した直後では、薄膜トランジスタ（以下では、ＴＦＴと称する）のゲートの容量成分を充電するための電流がオフ設定用電源ＶＧＬ（以下では、単にＶＧＬと称する）の経路に流れる。この電流の影響によって、ＯＰアンプ２１の出力電圧が−９．２Ｖから−１４．８Ｖに変化した直後では、ＶＧＬの電圧に変動が生じる。すなわち、極性が変化した直後では、ＶＧＬは−１３Ｖ程度にしかならず、その後、徐々に−１４．８Ｖに向かって変化するといった事態が発生する。
【００１０】
一方、ＶＧＬの電圧が−１４．８Ｖとならなければならないのに、−１３Ｖ程度までしか下降しなかったときでは、ＴＦＴを完全なオフにしなければならないときにも、ＴＦＴのソース・ゲート間電圧が、ＴＦＴを完全なオフにする電圧とはならない。このため、例えば、図３に示す構成において、ゲート線Ｇ２にオン設定用電源ＶＧＨを出力してＴＦＴＱ２１，Ｑ２２，・・・をオンとし、ゲート線Ｇ１にＶＧＬを出力してＴＦＴＱ１１，Ｑ１２，・・・をオフとする場合、ＴＦＴＱ１１，Ｑ１２，・・・が完全なオフにならない。このため、本来は変化してはならないコンデンサＣ１１，Ｃ１２，・・・の保持電圧が、ソース線Ｓ１〜Ｓ３，・・・の信号レベルの影響を受けて、微少ながら変化する。その結果、液晶パネルの画面の一部が明るくなったり、フリッカが発生するといったような、表示における不具合が発生していた。
【００１１】
一方、第１の従来技術は、ＶＣＯＭの電圧が、２種の電圧のうちの高い側の電圧となる期間では、ＶＣＯＭの電圧を所定の電圧にクランプすることによって、ＶＣＯＭの中心電圧を０Ｖの近傍とするときにも、−１５Ｖの電源（ＶＧＬ）の消費電力の増加を抑制する技術となっている。このため、第３の従来技術において発生した問題を解決しようとする観点からは、適用することが困難となっている。
【００１２】
第２の従来技術は、オン設定用電源ＶＧＨを入力として、ＶＧＬを生成するチャージポンプ回路９８を設けるとともに、チャージポンプ回路９８によって生成されたＶＧＬを、抵抗Ｒ９１を介して、ＶＣＯＭに印加することにより、オン設定用電源ＶＧＨの変動によって飛び込み電圧が変化することにより生じる不具合を解消する技術となっている。このため、第３の従来技術において発生した問題を解決しようとする観点からは、適用することが困難となっている。
【００１３】
本発明は、上記の問題点を解決するため創案されたものであり、その目的は、負荷電流の影響により生じるオフ設定用電源の電圧変動を除去することのでき、且つ、オフ設定用電源の電圧変動を除去するときにも、回路の複雑化を回避することのできる液晶表示装置を提供することにある。
【００１４】
また本発明の目的は、液晶パネルの共通電極を駆動する共通電極駆動電源と、液晶パネルの薄膜トランジスタをオフに設定するオフ設定用電源とを、それぞれに対応するコンデンサを介して、ともに同じボルテージホロワから取り出すとともに、ボルテージホロワの動作点を、２種の電圧のいずれの電圧を出力するときにおいても、出力インピーダンスを上昇させない範囲に設定することにより、負荷電流の影響により生じるオフ設定用電源の電圧変動を除去することのできる液晶表示装置を提供することにある。
【課題を解決するための手段】
【００１５】
上記の課題を解決するため、本発明に係る液晶表示装置は、液晶パネルの共通電極に印加される共通電極駆動電源の極性変化のタイミングを示すとともに極性変化における共通電極駆動電源の電圧の変化に対応した波形形状の極性信号が一方の端子に入力された第１のコンデンサと、第１のコンデンサの他方の端子が入力端に接続された直流増幅回路と、直流増幅回路の入力端にバイアス電圧を与える第１の分圧回路と、直流増幅回路の出力が導かれたボルテージホロワと、一方の端子にボルテージホロワの出力が導かれ、他方の端子から共通電極駆動電源が出力される第２のコンデンサと、第２のコンデンサの他方の端子に、共通電極駆動電源の中心電圧となる電圧を印加する第２の分圧回路とを備え、液晶パネルに形成された薄膜トランジスタをオフさせるオフ設定用電源の電圧が、共通電極駆動電源の電圧の変化に対応して変化する液晶表示装置に適用している。そして、一方の端子にボルテージホロワの出力が導かれ、他方の端子からオフ設定用電源が出力される第３のコンデンサと、第３のコンデンサの他方の端子に、オフ設定用電源の中心電圧となる電圧を印加する第３の分圧回路とを備えている。且つ、第１の分圧回路は、一方の端子がプラス電源に接続され、他方の端子が直流増幅回路の入力端に接続された第１の抵抗と、一方の端子が第１の抵抗の他方の端子に接続され、他方の端子がマイナス電源に接続された第２の抵抗とを備え、直流増幅回路は、前記プラス電源と前記マイナス電源とを動作電源とし、プラス入力が接地された第１のＯＰアンプと、一方の端子が入力端に接続され、他方の端子が第１のＯＰアンプのマイナス入力に接続された第３の抵抗と、第１のＯＰアンプのマイナス入力と第１のＯＰアンプの出力端子との間に接続された第４の抵抗とを備え、ボルテージホロワは、前記プラス電源と前記マイナス電源とを動作電源とし、プラス入力に第１のＯＰアンプの出力が導かれ、マイナス入力と出力端子とが接続された第２のＯＰアンプを備え、第１の抵抗の値と第２の抵抗の値との比率により定まる前記バイアス電圧は、ボルテージホロワから出力される電圧が２種の電圧のうちのいずれの電圧となるときにも、ボルテージホロワの出力インピーダンスを上昇させない範囲の電圧に設定されている。
【００１６】
すなわち、共通電極駆動電源の中心電圧は第２の分圧回路の分圧電圧によって設定され、オフ設定用電源の中心電圧は第３の分圧回路の分圧電圧によって設定される。このため、ボルテージホロワの出力の中心電圧については、ボルテージホロワの動作に最良となる電圧に設定できる。つまり、第１の分圧回路によって直流増幅回路の入力端に与えられるバイアス電圧を、ボルテージホロワから出力される電圧が２種の電圧のうちのいずれの電圧となるときにも、ボルテージホロワの出力インピーダンスを上昇させない範囲の電圧に設定することができる。そして、この設定を行うときでは、ボルテージホロワは、充分な駆動能力を備える。このため、共通電極駆動電源としての負荷電流、および、オフ設定用電源としての負荷電流が大きくなるときにも、共通電極駆動電源の電圧変動およびオフ設定用電源の電圧変動は発生しない。また、第１の分圧回路は２つの抵抗によって構成され、直流増幅回路は２つの抵抗と１つのＯＰアンプによって構成され、ボルテージホロワは１つのＯＰアンプのみによって構成されている。つまり、少数の素子によって、第１の分圧回路と直流増幅回路とボルテージホロワが構成される。
【００１７】
また本発明に係る液晶表示装置は、液晶パネルの共通電極に印加される共通電極駆動電源の極性変化のタイミングを示すとともに極性変化における共通電極駆動電源の電圧の変化に対応した波形形状の極性信号が一方の端子に入力された第１のコンデンサと、第１のコンデンサの他方の端子が入力端に接続された直流増幅回路と、直流増幅回路の入力端にバイアス電圧を与える第１の分圧回路と、直流増幅回路の出力が導かれたボルテージホロワと、一方の端子にボルテージホロワの出力が導かれ、他方の端子から共通電極駆動電源が出力される第２のコンデンサと、第２のコンデンサの他方の端子に、共通電極駆動電源の中心電圧となる電圧を印加する第２の分圧回路とを備え、液晶パネルに形成された薄膜トランジスタをオフさせるオフ設定用電源の電圧が、共通電極駆動電源の電圧の変化に対応して変化する液晶表示装置に適用している。そして、一方の端子にボルテージホロワの出力が導かれ、他方の端子からオフ設定用電源が出力される第３のコンデンサと、第３のコンデンサの他方の端子に、オフ設定用電源の中心電圧となる電圧を印加する第３の分圧回路とを備え、第１の分圧回路によって直流増幅回路の入力端に与えられるバイアス電圧は、ボルテージホロワから出力される電圧が２種の電圧のうちのいずれの電圧となるときにも、ボルテージホロワの出力インピーダンスを上昇させない範囲の電圧に設定されている。
【００１８】
すなわち、共通電極駆動電源の中心電圧は第２の分圧回路の分圧電圧によって設定され、オフ設定用電源の中心電圧は第３の分圧回路の分圧電圧によって設定される。このため、ボルテージホロワの出力の中心電圧については、ボルテージホロワの動作に最良となる電圧に設定できる。つまり、第１の分圧回路によって直流増幅回路の入力端に与えられるバイアス電圧を、ボルテージホロワから出力される電圧が２種の電圧のうちのいずれの電圧となるときにも、ボルテージホロワの出力インピーダンスを上昇させない範囲の電圧に設定することができる。そして、この設定を行うときでは、ボルテージホロワは、充分な駆動能力を備える。このため、共通電極駆動電源としての負荷電流、および、オフ設定用電源としての負荷電流が大きくなるときにも、共通電極駆動電源の電圧変動およびオフ設定用電源の電圧変動は発生しない。
【発明の効果】
【００１９】
本発明によれば、第１の抵抗の値と第２の抵抗の値との比率により定まるバイアス電圧は、ボルテージホロワから出力される電圧が２種の電圧のうちのいずれの電圧となるときにも、ボルテージホロワの出力インピーダンスを上昇させない範囲の電圧に設定されている。従って、ボルテージホロワは、充分な駆動能力を備える。このため、共通電極駆動電源としての負荷電流、および、オフ設定用電源としての負荷電流が大きくなるときにも、共通電極駆動電源の電圧変動およびオフ設定用電源の電圧変動は発生しない。また、第１の分圧回路は２つの抵抗によって構成され、直流増幅回路は２つの抵抗と１つのＯＰアンプによって構成され、ボルテージホロワは１つのＯＰアンプのみによって構成されている。このため、負荷電流の影響により生じるオフ設定用電源の電圧変動を除去することができ、且つ、オフ設定用電源の電圧変動を除去するときにも、回路の複雑化を回避することができる。
【００２０】
また本発明によれば、第１の分圧回路によって生成されるバイアス電圧は、ボルテージホロワから出力される電圧が２種の電圧のうちのいずれの電圧となるときにも、ボルテージホロワの出力インピーダンスを上昇させない範囲の電圧に設定されている。従って、ボルテージホロワは、充分な駆動能力を備える。このため、共通電極駆動電源としての負荷電流、および、オフ設定用電源としての負荷電流が大きくなるときにも、共通電極駆動電源の電圧変動およびオフ設定用電源の電圧変動は発生しない。このため、負荷電流の影響により生じるオフ設定用電源の電圧変動を除去することができる。
【発明を実施するための最良の形態】
【００２１】
以下、本発明の実施の形態について図を参照して説明する。
【００２２】
図２は、本発明に係る液晶表示装置の一実施形態の電気的構成を示すブロック線図であり、図３は、液晶パネルの詳細な電気的接続を示す回路図である。
【００２３】
図において、液晶パネル３は、２．５インチのモジュールに使用されるパネルとなっていて、マトリクス状に配置された画素電極を備えるとともに、画素電極のそれぞれに接続された薄膜トランジスタ（以下ではＴＦＴと称する）Ｑ１１，Ｑ１２，Ｑ２１，Ｑ２２，・・・を備えている。
【００２４】
電源回路５は、ゲートドライバ２内の論理回路（図示を省略）およびソースドライバ４内の論理回路（図示を省略）の動作電源となるとともに、ＶＣＯＭ・ＶＧＬ生成回路１が使用する５Ｖの直流電源ＶＤＤ（以下では、単にＶＤＤと称する）を生成する。また、ゲートドライバ２が、液晶パネル３に形成されたＴＦＴＱ１１，Ｑ１２，Ｑ２１，Ｑ２２，・・・をオンとするときに使用するオン設定用電源ＶＧＨ（以下では、単にＶＧＨと称する）を生成する。また、ソースドライバ４が、ＴＦＴＱ１１，Ｑ１２，Ｑ２１，Ｑ２２，・・・のソースを駆動する信号の生成に用いる映像信号用電源ＶＳＨ（以下では、単にＶＳＨと称する）を生成する。また、ＶＣＯＭ・ＶＧＬ生成回路１が使用する−１５Ｖのマイナス電源Ｖ−１５（以下では、Ｖ−１５と称する）を生成する。また、映像信号処理回路６が使用する直流電源を生成する。
【００２５】
ＶＣＯＭ・ＶＧＬ生成回路１は、液晶パネル３の共通電極を駆動する共通電極駆動電源ＶＣＯＭ（以下では、単にＶＣＯＭと称する）を生成して、液晶パネル３の共通電極端子３０１に送出する。また、ゲートドライバ２が、ＴＦＴＱ１１，Ｑ１２，Ｑ２１，Ｑ２２，・・・をオフとするときに使用するオフ設定用電源ＶＧＬ（以下では、単にＶＧＬと称する）を生成して、ゲートドライバ２に送出する。なお、ＶＣＯＭとＶＧＬとについて、後に詳述する
映像信号処理回路６は、入力される映像信号ＳＩＧに基づき、液晶パネル３を駆動する駆動信号の極性を反転させる極性信号ＰＳを生成して、ＶＣＯＭ・ＶＧＬ生成回路１に送出する。また、液晶パネル３のゲート線Ｇ１，Ｇ２，・・・を駆動するタイミングを示す信号を生成して、ゲートドライバ２に出力する。また、映像信号を示す出力と、水平方向のタイミングを示す信号とを生成してソースドライバ４に出力する。ソースドライバ４は、液晶パネル３のＴＦＴＱ１１，Ｑ１２，Ｑ２１，Ｑ２２，・・・のソースに、行を単位として、映像信号処理回路６より出力される信号に基づき、ＴＦＴＱ１１，Ｑ１２，Ｑ２１，Ｑ２２，・・・のソースを駆動する信号を生成する。
【００２６】
ゲートドライバ２は、液晶パネル３のＴＦＴＱ１１，Ｑ１２，Ｑ２１，Ｑ２２，・・・のゲートを駆動する。すなわち、映像信号処理回路６から出力される信号のタイミングに従い、ＴＦＴＱ１１，Ｑ１２，・・・のゲートが接続されたゲート線Ｇ１（それまではＶＧＬとなっている）にＶＧＨを出力することによって、ＴＦＴＱ１１，Ｑ１２，・・・をオフからオンに移行させ、コンデンサＣ１１，Ｃ１２，・・・に、輝度に対応した電圧を印加し、記憶させる。そして、タイミングが１つ進んだときには、ゲート線Ｇ１にＶＧＬを出力して、ＴＦＴＱ１１，Ｑ１２，・・・をオフに設定するとともに、ゲート線Ｇ２にＶＧＨを出力して、ＴＦＴＱ２１，Ｑ２２，・・・をオフからオンに移行させ、コンデンサＣ２１，Ｃ２２，・・・に、輝度に対応した電圧を印加し、記憶させる。
【００２７】
図１は、ＶＣＯＭ・ＶＧＬ生成回路１の詳細な電気的接続を示す回路図であり、図７に示す従来技術と同一となる素子には、図７における符号を付与している。
【００２８】
ＶＣＯＭ・ＶＧＬ生成回路１は、大別すると、第１〜第３のコンデンサＣ１〜Ｃ３、第１〜第３の分圧回路１１〜１３、直流増幅回路１５、および、ボルテージホロワ１６を備えている。
【００２９】
極性信号ＰＳは、詳細には、液晶パネル３の共通電極（共通電極端子３０１）に印加されるＶＣＯＭの極性変化のタイミングを示すとともに、極性変化におけるＶＣＯＭの電圧の変化に対応した波形形状の信号となっている。すなわち、極性信号ＰＳは、図４（Ａ）のＰＳによって示したように、１水平周期（ｔ１，ｔ２）毎にレベルが変化することを繰り返す信号であり、振幅ＶＰ−Ｐは５Ｖとなっている（第１のＯＰアンプ２１の出力においては、振幅は約５．６Ｖとなっている）。
【００３０】
第１のコンデンサＣ１は、一方の端子に極性信号ＰＳが導かれ、他方の端子が直流増幅回路１５の入力端１５１に導かれており、直流成分を除去した極性信号ＰＳを直流増幅回路１５に送出する。第１の分圧回路１１は、直流増幅回路１５の入力端１５１にバイアス電圧（約−１Ｖ）を与える。このため、一方の端子がＶＤＤに接続され、他方の端子が入力端１５１に接続された第１の抵抗Ｒ１１と、一方の端子が第１の抵抗Ｒ１１の他方の端子に接続され、他方の端子がＶ−１５に接続された第２の抵抗Ｒ１２とを備えている。
【００３１】
直流増幅回路１５は、極性信号ＰＳを約１．１倍の増幅率でもって反転増幅し、ボルテージホロワ１６に出力する。このため、ＶＤＤとＶ−１５とを動作電源とし、プラス入力が、抵抗Ｒ１５を介して接地された第１のＯＰアンプ２１を備えている。また、一方の端子が入力端１５１に接続され、他方の端子が第１のＯＰアンプ２１のマイナス入力に接続された第３の抵抗Ｒ１３と、第１のＯＰアンプ２１のマイナス入力と出力端子との間に接続された第４の抵抗Ｒ１４とを備えている。
【００３２】
ボルテージホロワ１６は、直流増幅回路１５の出力を、低インピーダンスの信号として出力する。このため、ＶＤＤとＶ−１５とを動作電源とし、プラス入力に第１のＯＰアンプ２１の出力が導かれ、マイナス入力と出力端子とが接続された第２のＯＰアンプ２２を備えている。
【００３３】
第２のコンデンサＣ２は、一方の端子にボルテージホロワ１６の出力が導かれ、他方の端子はＶＣＯＭの出力点となっている。すなわち、第２のコンデンサＣ２は、ボルテージホロワ１６の出力から直流成分を除去して得られた信号を、ＶＣＯＭとして、他方の端子から出力する。第２の分圧回路１２は、第２のコンデンサＣ２の他方の端子から送出されるＶＣＯＭに、ＶＣＯＭの中心電圧となる電圧（約１Ｖであり、変化させることができる）を印加する。このため、一方の端子がＶＤＤに接続された抵抗Ｒ２１と、端部端子の一方が抵抗Ｒ２１の他方の端子に接続され、端部端子の他方が接地され、可変端子が第２のコンデンサＣ２の他方の端子に接続された可変抵抗器ＶＲ２とを備えている。
【００３４】
第３のコンデンサＣ３は、一方の端子にボルテージホロワ１６の出力が導かれ、他方の端子はＶＧＬの出力点となっている。すなわち、第３のコンデンサＣ３は、ボルテージホロワ１６の出力から直流成分を除去して得られた信号を、ＶＧＬとして、他方の端子から出力する。第３の分圧回路１３は、第３のコンデンサＣ３の他方の端子から送出されるＶＧＬに、ＶＧＬの中心電圧となる電圧（約−１２Ｖ）を印加する。このため、一方の端子が接地され、他方の端子が第３のコンデンサＣ３の他方の端子に接続された抵抗Ｒ３１と、一方の端子が抵抗Ｒ３１の他方の端子に接続され、他方の端子がＶ−１５に接続された抵抗Ｒ３２とを備えている。
【００３５】
以下に補足的な説明を行うと、第１の分圧回路１１によって直流増幅回路１５の入力端１５１に与えられるバイアス電圧（約−１Ｖ）は、ボルテージホロワ１６から出力される電圧が２種の電圧（図４（Ｂ）のＯＵＴＨ（１．８Ｖ）とＯＵＴＬ（−３．８Ｖ）とにより示す）のうちのいずれの電圧となるときにも、ボルテージホロワ１６の出力インピーダンスを上昇させない範囲の電圧に設定されている。このため、ボルテージホロワ１６から出力される電圧がＯＵＴＨとなるときでは、ＶＤＤとＯＵＴＨとの電圧の差異Ｖ１１が充分に大きな値となり、ボルテージホロワ１６は充分な電流を出力することが可能となっている（差異Ｖ１１は、約３．２Ｖとなっている）。且つ、ボルテージホロワ１６から出力される電圧がＯＵＴＬとなるときでは、Ｖ−１５とＯＵＴＬとの電圧の差異Ｖ１２が充分に大きな値となり、ボルテージホロワ１６は充分な電流を出力することが可能となっている（差異Ｖ１２は、約１１．２Ｖとなっている）。
【００３６】
従って、ボルテージホロワ１６は、電圧ＯＵＴＨを出力するときと電圧ＯＵＴＬを出力するときとの双方において、充分な駆動能力を有することになる。このため、駆動する負荷となる容量成分が大きいＶＣＯＭと、駆動する負荷となる容量成分がＶＣＯＭほどは大きくないＶＧＬとの双方を駆動するときにも、出力電圧の切り換え時においては、出力電圧を急峻に立ち上げたり、立ち下げたりすることができ、且つ、期間ｔ１，ｔ２における電圧ＯＵＴＨ，ＯＵＴＬを一定に維持できる。
【００３７】
上記構成からなる実施形態の動作を説明する。
【００３８】
映像信号処理回路６は、映像信号ＳＩＧが入力されると、極性信号ＰＳを生成して、ＶＣＯＭ・ＶＧＬ生成回路１に送出する。また、液晶パネル３のゲート線Ｇ１，Ｇ２，・・・を駆動するタイミングを示す信号を生成して、ゲートドライバ２に出力する。また、映像信号を示す出力と、水平方向のタイミングを示す信号とを生成してソースドライバ４に出力する。このため、ゲートドライバ２は、ＶＣＯＭ・ＶＧＬ生成回路１から出力されるＶＧＬと電源回路５から送出されるＶＧＨとを用いて、液晶パネル３のゲート線Ｇ１，Ｇ２，・・・を駆動する。また、ソースドライバ４は、液晶パネル３のソース線Ｓ１〜Ｓ３，・・・を駆動する。
【００３９】
また、ボルテージホロワ１６は、出力インピーダンスが小さい増幅回路として動作するので、立ち上がりと立ち下がりとが急峻であり、周期ｔ１，ｔ２のそれぞれの期間においてレベルが一定に維持されるＯＵＴＨとＯＵＴＬを出力する。このため、ＶＣＯＭは、図４（Ｃ）に示したように、急峻に立ち上がりるとともに急峻に立ち下がる。また、期間ｔ１においては、レベルは、変動することなくＶＣＯＭＨに維持され、期間ｔ２においては、レベルは、変動することなくＶＣＯＭＬに維持される。
【００４０】
また、ＶＧＬも、ＶＣＯＭと同様に、急峻に立ち上がりるとともに急峻に立ち下がる。また、期間ｔ１においては、レベルは、変動することなく、ＶＧＬ−Ｈに維持され、期間ｔ２においては、レベルは、変動することなく、ＶＧＬ−Ｌに維持される。つまり、ＶＧＬの電圧が、マイナス電源Ｖ−１５の電圧（−１５Ｖ）に接近した電圧であるＶＧＬ−Ｌ（−１４．８Ｖ）とならなければならないときには、ＶＧＬの電圧は、変動のない、一定の電圧に安定した−１４．８Ｖとなる（図７に示す従来技術においては、この電圧に変動が生じていた）。
【００４１】
ＶＣＯＭとＶＧＬとは上記した変化を示す。従って、スイッチ素子ＳＷ１がＶＧＨの側に接続され、スイッチ素子ＳＷ２がＶＧＬの側に接続されたときでは、ＴＦＴＱ１１，Ｑ１２，・・・がオンとなり、ＴＦＴＱ２１，Ｑ２２，・・・は完全なオフ状態に維持される。また、スイッチ素子ＳＷ１がＶＧＬの側に接続され、スイッチ素子ＳＷ２がＶＧＨの側に接続されたときでは、ＴＦＴＱ１１，Ｑ１２，・・・が完全なオフ状態に維持され、ＴＦＴＱ２１，Ｑ２２，・・・がオンとなる。その結果、画面の一部が明るくなる、あるいは、フリッカが発生するといったような不具合の発生は防止される。
【００４２】
また、ＶＣＯＭの電圧変化とＶＧＬの電圧変化とは全く同一であるので、ＶＣＯＭからＶＧＬを見たときのＶＧＬの電位は常に一定となる。また、ＶＣＯＭは、液晶パネル３においては、最も基準となる電位を与える。このため、ＶＣＯＭから見たときのＶＧＬの変動が原因となる不具合の発生については、全く考慮する必要がなくなる、という効果も得られることになる。
【００４３】
なお、本発明は上記実施形態に限定されず、第１の分圧回路１１が入力端１５１に与えるバイアス電圧については、差異Ｖ１１，Ｖ１２の双方が、３Ｖより大きくなる範囲では、任意の電圧とすることができる。
【００４４】
また、第２の分圧回路１２が与える中心電圧、および、第３の分圧回路１３が与える中心電圧については、その他の電圧となるときにも、同様に適用することができる。
【図面の簡単な説明】
【００４５】
【図１】本発明に係る液晶表示装置の一実施形態の共通電極駆動電源とオフ設定用電源とを生成するブロックの電気的接続を示す回路図である。
【図２】実施形態の全体の構成を示すブロック線図である。
【図３】液晶パネルの詳細な電気的接続を示す回路図である。
【図４】極性信号と共通電極駆動電源とオフ設定用電源とのレベル変化を示す説明図である。
【図５】従来技術の電気的接続を示す回路図である。
【図６】従来技術の電気的接続を示す回路図である。
【図７】従来技術の電気的接続を示す回路図である。
【符号の説明】
【００４６】
３  液晶パネル
１１  第１の分圧回路
１２  第２の分圧回路
１３  第３の分圧回路
１５  直流増幅回路
１６  ボルテージホロワ
２１  第１のＯＰアンプ
２２  第２のＯＰアンプ
１５１  入力端
３０１  共通電極端子
Ｃ１  第１のコンデンサ
Ｃ２  第２のコンデンサ
Ｃ３  第３のコンデンサ
ＰＳ  極性信号
Ｑ１１，Ｑ１２，Ｑ２１，Ｑ２２  ＴＦＴ
Ｒ１１  第１の抵抗
Ｒ１２  第２の抵抗
Ｒ１３  第３の抵抗
Ｒ１４  第４の抵抗
ＳＩＧ  映像信号
ＶＣＯＭ  共通電極駆動電源
ＶＧＬ  オフ設定用電源
【図１】
2006154529.tif 000003
【図２】
2006154529.tif 000004
【図３】
2006154529.tif 000005
【図４】
2006154529.tif 000006
【図５】
2006154529.tif 000007
【図６】
2006154529.tif 000008
【図７】
2006154529.tif 000009